(57)【要約】【課題】画像形成装置において、印字カートリッジが装着されていても、筐体の開閉カバーが閉じられているときにだけ電源を制御する。【解決手段】プリンタ装置内の定位置に印字カートリッジが装着されると、電源断続装置２のリンク部材２２８の案内溝１８０側の端は、図２（Ｂ）に示すように、印字カートリッジの案内突起１６０により移動させられる。開閉カバー２６が開かれている間は、リンク部材２２６は、開口部１８２に近い位置をとり、リンク部材２２４を回転させない。開閉カバー２６が閉じられると、スイッチ開閉用突起２６０がリンク部材２２６をスイッチ２０側に移動させ、リンク部材２２４が回転し、スイッチレバー２０２を押下する。【選択図】          図２
2004163856.tif 000002
【特許請求の範囲】
【請求項１】
操作を受けて開閉するスイッチと、
所定の構成部分が筐体に装着されたときに、前記スイッチに対する操作を許可する操作許可機構と、
前記スイッチに対する操作が許可されたときに、前記筐体に対する所定の操作を受けて、前記スイッチに対して操作を行う操作機構と
を有するスイッチ装置。
【請求項２】
前記操作許可機構は、
前記筐体に付され、前記構成部分を装着位置に導く第１のガイド手段と、
前記構成部分に付され、前記第１のガイド手段に沿って前記構成部分を前記装着位置に導く第２のガイド手段と、
前記第１のガイド手段に付され、前記第２のガイド手段の動きに応じて、前記操作機構を作動状態にすることにより前記スイッチに対する操作を許可する操作許可部材と
を有する請求項１に記載のスイッチ装置。
【請求項３】
前記スイッチはレバーを有し、このレバーに対する操作に応じて開閉し、
前記操作機構は、前記スイッチに対する操作が許可されたときに、前記装置筐体に対する所定の操作を受けて、前記スイッチのレバーに対して操作を行う
請求項１または２に記載のスイッチ装置。
【請求項４】
操作を受けて開閉し、画像形成装置を制御するスイッチと、
印字カートリッジが筐体に装着されたときに、前記スイッチに対する操作を許可する操作許可機構と、
前記筐体の開口部を開閉する開閉カバーと、
前記スイッチに対する操作が許可されたときに、前記開閉カバーが開閉される操作を受けて、前記スイッチに対して操作を行う操作機構と
を有する画像形成装置。
【請求項５】
前記スイッチは、画像形成装置の電源を制御する
請求項４に記載の画像形成装置。
【請求項６】
前記操作許可機構は、
前記筐体に付され、前記構成部分を装着位置に導くガイド溝と、
前記構成部分に付され、前記ガイド溝に沿って前記構成部分を前記装着位置に導くガイド突起と、
前記ガイド溝に付され、前記ガイド突起の動きに応じて、前記操作機構を作動状態にすることにより前記スイッチに対する操作を許可する操作許可部材とを有する請求項５または６に記載の画像形成装置。
【請求項７】
前記スイッチはレバーを有し、このレバーに対する操作に応じて開閉し、
前記操作機構は、前記スイッチに対する操作が許可されたときに、前記装置筐体に対する所定の操作を受けて、前記スイッチのレバーに対して操作を行う請求項４〜６のいずれかに記載の画像形成装置。
【請求項８】
操作を受けて開閉するスイッチと、
所定の構成部分が筺体に装着されたときに、前記スイッチに対する操作を許可する操作許可機構と、
前記スイッチに対する操作が許可されたときに、前記筺体に対する所定の操作を受けて、前記スイッチに対して操作を行う操作機構と、
前記構成部分が筺体に装着されたことを検知する検知手段と、
前記スイッチの出力と前記検知手段の検知結果との組み合わせに応じた表示をなす表示手段と、
を有する画像形成装置。
【請求項９】
開放部を有する筺体と、
この筺体の開放部を開閉する開閉カバーと、
この開閉カバーを開いて前記筺体内に装着される印字カートリッジと、
前記開閉カバーの開閉に応じて作動するスイッチと、
前記印字カートリッジの装着または未装着に応じて前記スイッチに対する操作を許可する操作許可機構と、
この操作許可機構により前記スイッチに対する操作が許可された場合に、前記開閉カバーの開閉される操作を受けて、前記スイッチに対する操作を行う操作機構と、
前記印字カートリッジに設けられた記憶手段と、
この記憶手段に連結された無線通信手段と、
この無線通信手段からの信号を受けた場合に印字カートリッジの装着・未装着を判断する判断手段と、
前記スイッチの出力と前記判断手段の判断結果との組み合わせに応じた表示をなす表示手段と、
を有する画像形成装置。
【発明の詳細な説明】
【０００１】
【発明の属する技術分野】
本発明は、プリンタなどの画像形成装置に用いられるスイッチ装置およびこれを用いた画像形成装置に関する。
【０００２】
【従来の技術】
例えば、特許文献１，２は、印字カートリッジが装着されているときだけ動作するスイッチを有する画像形成装置を開示する。
しかしながら、これらの文献に開示された画像形成装置では、開口部に設けられた開閉カバーが開いている間に、ユーザの手などがこの開口部から入って、スイッチに触れてしまうと、スイッチが誤って操作され、装置が誤動作してしまう可能性がある。
【０００３】
【特許文献１】特開平５−３５００７号公報
【特許文献１】特開平４−８４１４７号公報
【０００４】
【発明が解決しようとする課題】
本発明は、上述した背景からなされたものであり、装置の誤動作を効果的に防ぐことができるスイッチ装置およびこれを用いた画像形成装置を提供することを目的とする。
また、本発明は、印字カートリッジが装着されていても、筐体の開閉カバーが閉じられているときにだけ電源を制御するスイッチ装置およびこれを用いた画像形成装置を提供することを目的とする。
また、本発明は、印字カートリッジの装着と開閉カバーの開閉に応じて適切な表示を行うことができる画像形成装置を提供することを目的とする。
【０００５】
【課題を解決するための手段】
［スイッチ装置］
上記目的を達成するために、本発明にかかるスイッチ装置は、操作を受けて開閉するスイッチと、所定の構成部分が筐体に装着されたときに、前記スイッチに対する操作を許可する操作許可機構と、前記スイッチに対する操作が許可されたときに、前記筐体に対する所定の操作を受けて、前記スイッチに対して操作を行う操作機構とを有する。
【０００６】
好適には、前記操作許可機構は、前記筐体に付され、前記構成部分を装着位置に導く第１のガイド手段と、前記構成部分に付され、前記第１のガイド手段に沿って前記構成部分を前記装着位置に導く第２のガイド手段と、前記第１のガイド手段に付され、前記第２のガイド手段の動きに応じて、前記操作機構を作動状態にすることにより前記スイッチに対する操作を許可する操作許可部材とを有する。
【０００７】
好適には、前記スイッチはレバーを有し、このレバーに対する操作に応じて開閉し、前記操作機構は、前記スイッチに対する操作が許可されたときに、前記装置筐体に対する所定の操作を受けて、前記スイッチのレバーに対して操作を行う。
【０００８】
［画像形成装置］
また、本発明にかかる画像形成装置は、操作を受けて開閉し、画像形成装置を制御するスイッチと、印字カートリッジが筐体に装着されたときに、前記スイッチに対する操作を許可する操作許可機構と、前記筐体の開口部を開閉する開閉カバーと、前記スイッチに対する操作が許可されたときに、前記開閉カバーが開閉される操作を受けて、前記スイッチに対して操作を行う操作機構とを有する。
【０００９】
好適には、前記スイッチは、画像形成装置の電源を制御する。
【００１０】
好適には、前記操作許可機構は、前記筐体に付され、前記構成部分を装着位置に導くガイド溝と、前記構成部分に付され、前記ガイド溝に沿って前記構成部分を前記装着位置に導くガイド突起と、前記ガイド溝に付され、前記ガイド突起の動きに応じて、前記操作機構を作動状態にすることにより前記スイッチに対する操作を許可する操作許可部材とを有する。
【００１１】
好適には、前記スイッチはレバーを有し、このレバーに対する操作に応じて開閉し、前記操作機構は、前記スイッチに対する操作が許可されたときに、前記装置筐体に対する所定の操作を受けて、前記スイッチのレバーに対して操作を行う。
【００１２】
また、本発明に係る画像形成装置は、開放部を有する筺体と、この筺体の開放部を開閉する開閉カバーと、この開閉カバーを開いて前記筺体内に装着される印字カートリッジと、前記開閉カバーの開閉に応じて作動するスイッチと、前記印字カートリッジの装着または未装着に応じて前記スイッチに対する操作を許可する操作許可機構と、この操作許可機構により前記スイッチに対する操作が許可された場合に、前記開閉カバーの開閉される操作を受けて、前記スイッチに対する操作を行う操作機構と、前記印字カートリッジに設けられた記憶手段と、この記憶手段に連結された無線通信手段と、この無線通信手段からの信号を受けた場合に印字カートリッジの装着・未装着を判断する判断手段と、前記スイッチの出力と前記判断手段の判断結果との組み合わせに応じた表示をなす表示手段と、を有する。
【００１３】
【発明の実施の形態】
以下、本発明の実施形態を説明する。
【００１４】
［プリンタ装置１］
図１は、本発明にかかる電源断続装置２（スイッチ装置）が適応されるプリンタ装置１（画像形成装置）の構成を概略的に示す図である。
図２は、図１に示した電源断続装置２の構成および動作を示す図であって、（Ａ）は、プリンタ装置１に印字カートリッジ１６が装着されない場合において、開閉カバー２６が開いた状態の電源断続装置２を示し、（Ｂ）は、プリンタ装置１に印字カートリッジ１６が装着された場合において、開閉カバー２６が閉じた状態の電源断続装置２を示す。
【００１５】
図１に示すように、プリンタ装置１は、交流電源からプリンタ装置１が消費する電力をまかなう電源装置１２、プリンタ装置１の動作を制御する制御装置１００、モータ１０２および定着装置１０４など電力を消費する構成部分（電力消費部分１４；図３）、および、筐体１８などから構成され、印字カートリッジ１６が筐体１８内の定位置に装着されて、印刷用紙に対する画像形成を行う。
また、図１，図２に示すように、プリンタ装置１の筐体１８の上部には、プリンタ装置１の内部のメンテナンスなどに必要な開口部１８２が設けられ、開口部１８２には、本発明にかかる電源断続装置２が設けられている。
【００１６】
［電源断続装置２］
図３は、交流電源と、図１に示した電源装置１２と、図２に示したスイッチ２０との接続関係を示す図である。
図２（Ａ），（Ｂ）に示すように、電源断続装置２は、スイッチ２０、リンク機構２２および開閉カバー２６から構成される。
スイッチ２０は、スイッチ本体２００およびスイッチレバー２０２から構成される。
スイッチ２０は、例えば、スイッチレバー２０２が押下されたときに接点が閉じ、スイッチレバー２０２の押下が終わると接点が開く。
スイッチ２０は、例えば、図３に示すように、電源装置１２に接続され、電源装置１２から電力消費部分１４に対する電力供給を制御する。
つまり、例えば、電源装置１２は、スイッチ２０の接点（図示せず）が閉じている場合には、電力消費部分１４の全部または一部に対する電力の供給を行い、スイッチ２０の接点が開いている場合にはその供給を止める。
具体的には、２４Ｖと５Ｖの電源供給を遮断するスイッチ２個を並列に設ける。２４Ｖのスイッチは、モータ１０２の電源と電源装置１２のうち高圧電源装置のみを断続する。一方、５Ｖのスイッチは、印字カートリッジ１６中の感光体に潜像を書き込む露光装置１０５のレーザ光電源を遮断する。したがって、表示部や用紙検知センサ等の電源は遮断しない。このようにすれば、開口部から、モータ１０２に連結している駆動ギアや、印字カートリッジに供給される高圧電源供給端子に触れても安全であるし、レーザ光が漏れて操作者の目等を損傷させることがない。また表示部や用紙検知センサ等は電源が切れることがないので、開閉カバーが開いてもメッセージを表示できるし、ジャムを検知することができる。
またスイッチのＯＮ、ＯＦＦ検知は、例えば２４Ｖのスイッチの開閉によって行うようにしてある。
【００１７】
［リンク機構２２］
リンク機構２２（図２）は、固定部材２２０、バネ２２２および第１〜第３のリンク部材２２４〜２２８から構成される。
リンク機構２２において、固定部材２２０は、バネ２２２の一端を筐体１８に固定する。
【００１８】
［第１のリンク部材２２４］
第１のリンク部材２２４（図２）は、筐体１８および第２のリンク部材２２６に回転可能に取り付けられたカムであって、バネ２２２の他端が取り付けられる。
第１のリンク部材２２４は、リンク部材２２４の移動に応じて回転し、スイッチ２０のスイッチレバー２０２を押下し、または、スイッチレバー２０２の押下を止める。
【００１９】
［第２のリンク部材２２６］
図４は、筐体１８（図１）の開口部１８２の開閉カバー２６が開いた状態を示す斜視図である。
図５は、筐体１８（図１）の開口部１８２の開閉カバー２６が閉じた状態を示す斜視図である。
第２のリンク部材２２６は、図２（Ａ）に示すように、印字カートリッジ１６が筐体１８内の定位置に装着されておらず、案内溝１８０において案内突起１６０が第３のリンク部材２２８の端部を終端側に押していない場合には、第１のリンク部材２２４を、スイッチレバー２０２を押下できない位置に保持する。
また、第２のリンク部材２２６は、図２（Ｂ）に示すように、印字カートリッジ１６が筐体１８内の定位置に装着され、案内溝１８０において案内突起１６０が第３のリンク部材２２８の端部を、案内溝１８０の終端側に移動させている場合には、リンク部材２２８の回転に従って、開閉カバー２６に沿って右上方に移動する。
【００２０】
図２（Ｂ）に示した状態において、開閉カバー２６が閉じられ、スイッチ開閉用突起２６０が、突起受入口１８４を介して第1のリンク部材２２4をスイッチレバー２０２側に押すと、第１のリンク部材２２4は、第２のリンク部材２２６の支点を中心に回転する。
この回転の結果、第１のリンク部材２２４は、スイッチ２０のスイッチレバー２０２を押下する。
【００２１】
［第３のリンク部材２２８］
第３のリンク部材２２８（図２）は、カートリッジガイド１８６（図６を参照して後述）の案内溝１８０に一端がはめ込まれ、他端が第２のリンク部材２２６に接するように筐体１８に回転可能に取り付けられる。
第３のリンク部材２２８は、案内溝１８０における案内突起１６０の位置に応じて、上述のように第２のリンク部材２２６を移動させ、第１のリンク部材２２４がスイッチ２０のスイッチレバー２０２を押下する動きを制限する。
【００２２】
開閉カバー２６（図２）の開口部１８２と面する側には、スイッチ開閉用突起２６０が設けられ、筐体１８には、このスイッチ開閉用突起２６０を受け入れる突起受入口１８４が設けられている。
電源断続装置２は、これらの構成部分により、印字カートリッジ１６がプリンタ装置１内の定位置に正確に装着され、かつ、開閉カバー２６が閉じた場合にのみ、プリンタ装置１の電源装置１２を制御し、モータ１０２などの電力消費部分１４に電力を供給させる。
【００２３】
図６は、プリンタ装置１の筐体１８に設けられるカートリッジガイド１８６を、印字カートリッジ１６が装着される面から見た場合の構成を示す図である。
図７は、図６に示したカートリッジガイド１８４を、図６と反対側から見た場合の構成を示す図である。
図８は、図１に示した印字カートリッジ１６と、図６，図７に示したカートリッジガイド１８４と筐体１８のフレーム１８６との位置関係を示す図である。
図９は、図１および図８に示した印字カートリッジ１６と、印字カートリッジ１６に設けられた案内突起１６０を示す斜視図である。
【００２４】
図６，図７に示すカートリッジガイド１８６は、図８に示すように、筐体１８のフレーム１８８上に配設される。
図６に示すように、カートリッジガイド１８６には、印字カートリッジ１６を定位置に導く案内溝１８０が形成され、また、図９に示すように、印字カートリッジ１６には案内突起１６０が形成される。
印字カートリッジ１６が筐体１８内に装着される際には、案内突起１６０は、案内溝１８０にはめ込まれ、装着されようとする印字カートリッジ１６を、筐体１８内の定位置に導く。
定位置に導かれた印字カートリッジ１６は、カートリッジガイド１８６およびその他の固定部材（図示せず）などにより固定される。
【００２５】
［全体動作］
プリンタ装置１（図１）の筐体１８内の定位置に印字カートリッジ１６が装着されていない場合には、電源断続装置２（図１，図２）のリンク機構２２の第３のリンク部材２２８の案内溝１８０（図２，図６）側の端は、図２（Ａ）に示すように、印字カートリッジ１６の案内突起１６０（図９）により、案内溝１８０の終端側に移動させられることはない。
従って、リンク機構２２の第２のリンク部材２２６は、図２（Ａ）に示した位置をとり、開閉カバー２６が開いた状態（図４）であっても、閉じた状態（図５）であっても、第１のリンク部材２２４が、スイッチ２０のスイッチレバー２０２を押下しないようにする。
この場合には、スイッチ２０の接点（図示せず）は開いたままとなり、電源装置１２は、電力消費部分１４（図３）に対する電力の供給をしない。
【００２６】
プリンタ装置１（図１）の筐体１８内の定位置に印字カートリッジ１６が装着されると、電源断続装置２（図１，図２）のリンク機構２２の第３のリンク部材２２８の案内溝１８０（図２，図６）側の端は、図２（Ｂ）に示すように、印字カートリッジ１６の案内突起１６０（図９）により、案内溝１８０の終端側に移動させられる。
この場合には、リンク機構２２の第２のリンク部材２２６は、図２（Ｂ）に示した位置をとる。
【００２７】
このように、印字カートリッジ１６が定位置に装着された場合において、開閉カバー２６が開かれ（図４）、スイッチ開閉用突起２６０が第２のリンク部材２２６をスイッチ２０側に移動させない場合には、第２のリンク部材２２６は、固定部材２２０に近い位置をとり、第１のリンク部材２２４を回転させない。
この結果、第１のリンク部材２２４は、スイッチ２０のスイッチレバー２０２を押下せず、スイッチレバー２０２の接点（図示せず）は開いたままとなる。
この場合には、電源装置１２は、電力消費部分１４（図３）の一部に対する電力の供給をしない。
【００２８】
また、印字カートリッジ１６が定位置に装着された場合において、開閉カバー２６が閉じられ（図４）、スイッチ開閉用突起２６０が第１のリンク部材２２４をスイッチレバー２０４側に回転させる。
この結果、第１のリンク部材２２４は、スイッチ２０のスイッチレバー２０２を押下し、スイッチレバー２０２の接点が閉じる。
この場合には、電源装置１２は、電力消費部分１４（図３）の全部または一部に対する電力の供給を行う。
【００２９】
［メッセージ表示］
上記スイッチ２０を用いて印字カートリッジ１６の装着と開閉カバー２６の開閉を操作者に表示することが考えられる。しかしながら、このスイッチ２０のみでは、印字カートリッジ１６の未装着状態と開閉カバー２６の開状態とを区別することができない。そのため、「カバーを閉じてください。」といった警告メッセージを、開閉カバー２６が閉じられているにも拘わらず通知してしまうおそれがある。
そこで、この実施形態においては、印字カートリッジ１６に設けられたメモリチップを利用して警告メッセージ等を作成するようにした。
【００３０】
図９に示すように、メモリチップ３０は、印字カートリッジ１６の一側面に取付けられている。また、図１０に示すように、メモリチップ３０に対向するように、送受信部４０が筺体１８に取付けられている。メモリチップ３０は、外観的には、円形状のチップ本体３０２にアンテナ３０４が形成されていると共に、電子デバイス３０６とを有する。また、送受信部４０は、外観的には、制御基板４０２にアンテナ４０４が形成されていると共に、制御基板４０２にコネクタ４０４が設けられ、このコネクタ４０４が前述した制御装置１００に接続される。
【００３１】
図１１に示すように、メモリチップ３０は、回路的には、ＣＰＵ３０８、ＲＡＭ３１０、ＥＰＲＯＭ３１２及び送受信回路３１４を有する。ＥＰＲＯＭ３１２には、印字カートリッジ１６による印字枚数データ、印字カートリッジ１６内のトナーエンプティの有無データ、印字カートリッジ１６の部品寿命に関するデータ等が記憶されている。このＥＰＲＯＭ３１２に記憶されたデータは、アンテナ３０４で受信されたアクセスコマンドに基づいて、所定の周波数の搬送波に載せて変調され、アンテナ３０４から送信される。
なお、ＥＰＲＯＭ３１２が本発明における記憶手段を構成し、メモリチップ３０と送受信部４０との通信部分が本発明の通信手段を構成している。
【００３２】
図１１に示すように、送受信部４０は、回路的には、ＣＰＵ４０６、ＲＡＭ４０８、ＲＯＭ４１０及び送受信回路４１２を有する。ＣＰＵ４０６から出力されたアクセスコマンドは、所定の周波数の搬送波に載せて変調され、アンテナ４０４からメモリチップ３０のアンテナ３０４へ送信される。一方、メモリチップ３０から送信された変調信号は送受信部４０において復調されてデジタル信号に変換され、このデジタル信号が前述したスイッチ２０からの信号と共に制御装置１００に入力される。この制御装置１００においては、印字カートリッジの装着・未装着を判断する判断し、スイッチ２０からの信号との組み合わせによって表示部５０に表示されるメッセージを選択するようにしてある。表示部５０は、例えば図１３に示すように、液晶等から構成されたメッセージ表示部５０２を有する。
【００３３】
図１２において、メッセージ表示に関する制御フローが示されている。まずステップＳ１０においてスイッチ２０がＯＦＦ（開）であるか否かを判定する。スイッチ２０がＯＦＦである場合には、印字カートリッジ１６が装着されていない場合（未装着状態）と、印字カートリッジ１６が装着されているが、開閉カバー２６が開かれている場合がある。
【００３４】
そこで、ステップＳ１０において、スイッチ２０がＯＦＦと判断された場合は、ステップＳ１２に進み、メモリチップ３０へアクセスコマンドを送出し、次のステップＳ１４において、メモリチップ３０からの応答が有るか否かを判断する。メモリチップ３０からの応答が有ると判断された場合は、印字カートリッジ１６が装着されている状態であるので、次のステップＳ１６に進み、ＥＰＲＯＭ４１０に記憶されていたデータを読み込み、次のステップＳ１８において、通信が終了するまで監視し、通信が終了した場合は次のステップＳ２０に進み、表示部５０に例えば「カバーを閉じてください」とのメッセージを表示する（図１３（ａ）参照）。
【００３５】
一方、ステップＳ１４において、メモリチップ３０からの応答が無いと判断された場合は、開閉カバー２６の開閉に関わらず、印字カートリッジ１６が未装着状態にあるので、ステップＳ２２に進み、表示部５０に例えば「カートリッジを入れてください」とのメッセージを表示する（図１３（ｂ）参照）。
【００３６】
ステップＳ１０において、スイッチ２０がＯＦＦではない（閉である）と判断された場合は、印字カートリッジ１６が装着され、且つ開閉カバー２６が閉じられた状態にあるので、次のステップＳ２４に進み、メモリチップ３０へアクセスコマンドを送出し、次のステップＳ２６において、メモリチップ３０からの応答が有るか否かを判断し、応答が有ると判断された場合は、次のステップＳ２８に進み、ＥＰＲＯＭ４１０に記憶されていたデータを読み込み、次のステップＳ３０において、通信が終了するまで監視し、通信が終了した場合は次のステップＳ３２に進み、表示部５０に例えば「印刷できます」とのメッセージを表示する（図１３（ｃ）参照）。
【００３７】
ただし、ステップＳ２６において、応答が無いと判断された場合は、通信部分に故障を生じているおそれがあるので、次のステップＳ３４に進み、表示部５０に例えば「故障です」等の表示を行う等の故障処理を実施する（図１３（ｄ）参照）。
【００３８】
以上のステップＳ２０、Ｓ２２、Ｓ３２及びＳ３４の表示処理を実行した後、処理を終了する。即ち、図１４に示すように、開閉カバー２６の開閉、印字カートリッジ２６の装着・未装着、スイッチ２０のＯＮ、ＯＦＦ及びコマンド応答の有無に応じてメッセージ表示が制御されるものである。
尚、印字カートリッジ１６の装着が完全な場合と不完全な場合とでは、メモリチップ３０から応答される信号の大きさが異なるので、この応答する信号の大きさを判断して表示部５０に例えば「カートリッジが正しく装着されていません」等のメッセージを併せて表示してもよい。
またメモリチップとの送受信は、トナー汚れ等の影響あるいは接続時の損傷のおそれが無い無線通信が好ましいが、電気的接点による有線通信であっても、本発明の目的は達成できる。さらにメモリチップとの通信以外にも、例えば印字カートリッジの装着によってＯＮ、ＯＦＦされるスイッチ等によっても本発明の目的は達成される。
【００３９】
【発明の効果】
以上説明したように、本発明にかかるスイッチ装置およびこれを用いた画像形成装置によれば、装置の誤動作を効果的に防ぐことができる。
また、本発明にかかるスイッチ装置およびこれを用いた画像形成装置によれば、印字カートリッジが装着されていても、筐体の開閉カバーが閉じられているときにだけ電源を制御することができる。
また、上記スイッチ装置の出力と印字カートリッジの記憶手段との応答の有無と組み合わせることによって、適切な表示を行うことができる。
【図面の簡単な説明】
【図１】本発明にかかる電源断続装置２（スイッチ装置）が適応されるプリンタ装置（画像形成装置）の構成を概略的に示す図である。
【図２】図１に示した電源断続装置の構成および動作を示す図であって、（Ａ）は、プリンタ装置に印字カートリッジが装着されない場合において、開閉カバーが開いた状態の電源断続装置を示し、（Ｂ）は、プリンタ装置に印字カートリッジが装着された場合において、開閉カバーが閉じた状態の電源断続装置２を示す。
【図３】交流電源と、図１に示した電源装置と、図２に示したスイッチとの接続関係を示す図である。
【図４】筐体（図１）の開口部の開閉カバーが開いた状態を示す斜視図である。
【図５】筐体（図１）の開口部の開閉カバーが閉じた状態を示す斜視図である。
【図６】プリンタ装置の筐体に設けられるカートリッジガイドを、印字カートリッジが装着される面から見た場合の構成を示す図である。
【図７】図６に示したカートリッジガイドを、図６と反対側から見た場合の構成を示す図である。
【図８】図１に示した印字カートリッジと、図６，図７に示したカートリッジガイドと筐体のフレームとの位置関係を示す図である。
【図９】図１および図８に示した印字カートリッジと、印字カートリッジに設けられた案内突起を示す斜視図である。
【図１０】印字カートリッジに取付けられたメモリチップと、筺体に取付けられた送受信部を示す斜視図である。
【図１１】印字カートリッジに取付けれたメモリチップと、筺体に取付けられた送受信部とを含めた表示制御関係の回路を示す回路図である。
【図１２】表示関係の制御フローを示すフローチャートである。
【図１３】各表示メッセージを表示した表示部を示す平面図である。
【図１４】開閉カバーの開閉、印字カートリッジの装着・未装着、スイッチのＯＮ、ＯＦＦ及びコマンド応答の有無と、メッセージとの関係を示す図表である。
【符号の説明】
１・・・プリンタ装置、
１４・・・電力消費部分、
１００・・・制御装置、
１０２・・・モータ、
１０４・・・定着装置、
１０５・・・露光装置、
１２・・・電源装置、
１６・・・印字カートリッジ、
１６０・・・案内突起、
１８・・・筐体、
１８０・・・案内溝、
１８２・・・開口部、
１８４・・・突起受入口、
１８６・・・カートリッジガイド、
１８８・・・フレーム、
２・・・電源断続装置、
２０・・・スイッチ、
２００・・・スイッチ本体、
２０２・・・スイッチレバー、
２２・・・リンク機構、
２２０・・・固定部材、
２２２・・・バネ、
２２４〜２２８・・・リンク部材、
２６・・・開閉カバー、
２６０・・・スイッチ開閉用突起、
３０・・・メモリチップ
３１２・・・ＥＰＲＯＭ
４０・・・送受信部
【図１】
2004163856.tif 000003
【図２】
2004163856.tif 000004
【図３】
2004163856.tif 000005
【図４】
2004163856.tif 000006
【図５】
2004163856.tif 000007
【図６】
2004163856.tif 000008
【図７】
2004163856.tif 000009
【図８】
2004163856.tif 000010
【図９】
2004163856.tif 000011
【図１０】
2004163856.tif 000012
【図１１】
2004163856.tif 000013
【図１２】
2004163856.tif 000014
【図１３】
2004163856.tif 000015
【図１４】
2004163856.tif 000016